(57)【要約】【課題】生体の対象部位に対して、加熱及び加圧を効率的に行なうことが可能で、長時間にわたって施術しても、施術者の疲労、痛みが抑制されること。【解決手段】生体を加熱しながら加圧する指圧温灸器１であって、一方側に位置する先端部２１Ａが球面状に形成されるとともに前記先端部２１Ａから他方側に円錐状に形成された第１壁部２１と、前記第１壁部２１と接続され他方側向かい前記他方側に膨出してすぼむ第２壁部２２とを有する収容体２０と、前記第２壁部２２の他方側に接続されて前記他方側に伸びる軸部２６を有する支持部２５とを備えることを特徴とする。【選択図】図１
2014008354.tif 000002
【特許請求の範囲】
【請求項１】
収容体に収容した熱源を用いて、生体を加熱しながら加圧する加温器であって、
一方側に位置する先端部が球面状に形成されるとともに前記先端部から他方側に円錐状に形成された第１壁部と、前記第１壁部と接続され他方側向かい前記他方側に膨出してすぼむ第２壁部とを有する収容体と、
前記第２壁部の他方側に接続されて前記他方側に伸びる軸部を有する支持部を備えることを特徴とする加温器。
【請求項２】
請求項１に記載の加温器であって、
前記収容体は、
前記第１壁部と、前記第２壁部が、互いの外縁において接続されていることを特徴とする加温器。
【請求項３】
請求項１又は請求項２に記載の加温器であって、
前記支持部は、
前記軸部の他方側において外周に拡がる支持壁部を有していることを特徴とする加温器。
【請求項４】
請求項１から請求項３のいずれか１項に記載の加温器であって、
前記支持部は、前記他方側に前記軸部を通じて収容体の内部に通じる開口部が形成されていることを特徴とする加温器。
【請求項５】
請求項１から請求項４のいずれか１項に記載の加温器であって、
前記収容体の内部には、
前記先端部の燃焼により発熱するスティック状燃料を支えるとともに前記スティック状燃料の燃焼部に空気を流通させる燃料支持部材が配置されていることを特徴とする加温器。
【請求項６】
請求項２から請求項５のいずれか１項に記載の加温器に装着して、保持する液体を加温、発散させる液体発散部材であって、
シート状に形成され前記液体を保持する液体保持部と、前記液体保持部の複数の接続部位に接続される紐状体と、を備え、前記液体保持部は前記先端部に、前記紐状体は前記第２壁部に装着可能に構成されていることを特徴とする液体発散部材。
【発明の詳細な説明】
【技術分野】
【０００１】
本発明は、指圧温灸器をはじめとする、収容体に収容された熱源を用いて生体の対象部位を加熱しながら加圧する加温器及びこの加温器とともに用いる液体発散部材に関する。
【背景技術】
【０００２】
従来、生体（例えば、人体の幹部等）を指圧、マッサージする際に、収容体の中にもぐさや線香などの燃焼熱源を保持して生体にあてる温灸用具が用いられている。
このような温灸用具として、不用意な消火を抑制するとともに過熱等を防止するために多くの部品を用いて複雑な構造とされた収容体が開示されている（例えば、特許文献１。）。
また、被覆物の先端部に通気穴を設け、被覆物の開口部近傍に把持部を設けることで、熱源の燃焼を容易にしようとする温灸用具が開示されている（特許文献２。）。
また、収容体の先端部を指圧しやすくするために曲面状とするとともに通気穴を持ち、ペンシルのように把握して取り扱うものが開示されている（特許文献３。）。
【先行技術文献】
【特許文献】
【０００３】
【特許文献３】特開２００６−３３３８８１号公報
【特許文献１】特開２０００−９３４８９号公報
【特許文献２】特開２００７−２２９４０９号公報
【発明の概要】
【発明が解決しようとする課題】
【０００４】
しかしながら、上記従来の温灸用具は、もぐさや線香などが燃焼して取り換える際には、収容体の分解・組み立てをすることが必要である。また、固定された熱源が燃焼して発熱する場合、熱源の燃焼が進むと発熱部の位置が変化してしまい、充分な熱量が得られなくなるので、充分な熱量が得られなくなった場合に、熱源の位置を調節して発熱部からの熱が充分に伝熱するように調整する必要があった。
【０００５】
また、熱源が燃焼する場合には、先端近位部に燃焼用の空気を供給する空気穴を設けているので、燃焼した熱源から発生する灰等の塵埃が空気穴から出てしまい、シーツや床や洋服を汚すおそれがあった。温灸を行なう治療院は、清潔感がとても大切な要素であるため、このような塵埃の排出は清潔感を損なうというおそれがあった。
【０００６】
そこで、生体の対象部位を効率的に加熱及び加圧することが可能であり、長時間にわたって施術しても、施術者の疲労、痛みが抑制される加温器に対する強い要望がある。また、施術の際に、薬剤や効用のあるエキス等の液体を、施術しながら効率的に対象部位に発散させることが可能な液体発散手段に対する要望もある。
【０００７】
本発明は、上記従来の問題点に着目してなされたものであり、
（１）生体の対象部位を、効率的に加熱しながら加圧することが可能で、長時間にわたって施術しても、施術者の疲労、痛みが抑制されること。
（２）燃焼による熱源を用いる場合に、対象部位に安定した熱量を供給することができること。
（３）燃焼による熱源を用いる場合に、熱源を容易に交換できること。
（４）燃焼による熱源を用いる場合に、収容体から生じた塵埃が外部に排出されるのを抑制して衛生面が確保できること。
の少なくとも、いずれかひとつが解決可能な加温器を提供することを目的とするものである。
また、加温器により施術する際に、
（５）薬剤や効用のあるエキス等の液体を、対象部位に効率的に発散させること
ができる液体発散部材を提供すること。
【課題を解決するための手段】
【０００８】
上記課題を解決するために、この発明は以下の手段を提案している。
請求項１に記載の発明は、  収容体に収容した熱源を用いて、生体を加熱しながら加圧する加温器であって、一方側に位置する先端部が球面状に形成されるとともに前記先端部から他方側に円錐状に形成された第１壁部と、前記第１壁部と接続され他方側向かい前記他方側に膨出してすぼむ第２壁部とを有する収容体と、前記第２壁部の他方側に接続されて前記他方側に伸びる軸部を有する支持部と、を備えることを特徴とする。
【０００９】
この発明に係る加温器によれば、収容体の先端部が球面状に形成されていて、先端部から他方側に円錐状に形成された第１壁部を有しているので、収容体の先端部を生体の対象部位に接触させて収容体内の熱源の熱を対象部位に伝えて加熱しながら対象部位を加圧することで、効果的な加温、マッサージをすることができる。
【００１０】
また、第２壁部が他方側に膨出してすぼみ、第２壁部の他方側に接続された軸部を有する支持部が形成されているので、例えば、支持部を指と指の間に挟んで手のひら（例えば、手のひら及び指の腹）により第２壁部を容易かつ安定して把持することができるので、先端部により対象部位を加圧する際に、容易かつ効率的に押圧することができ、押圧に際しての押圧方向が手首の屈曲方向と対応していて、手首に無理な屈曲を与えることが抑制されるので、手首及び腕等の疲労が抑制されて長時間使用した場合でも疲れにくく、手首等を傷めるおそれが軽減される。
【００１１】
また、先端部に円を描きながら移動させる際に、接触位置及び向きを適度に変えながら加熱及び加圧することができるので、局所的な過熱を抑制して効果的な指圧、マッサージを行うことができ、手首や腕部に無理な姿勢をさせる必要がないので、手首及び腕等の疲労が抑制され、手首等を傷めるおそれが軽減される。
また、先端部を支点として他端側を公転するように周回する、いわゆるすりこぎ運動をする際にも、接触位置及び向きを適度に変えながら加熱及び加圧することができるので、局所的な過熱を抑制して効果的な指圧、マッサージを行うことができ、手首や腕部に無理な姿勢をさせる必要がないので、手首及び腕等の疲労が抑制され、手首等を傷めるおそれが軽減される。
【００１２】
請求項２に記載の発明は、請求項１に記載の加温器であって、前記収容体は、前記第１壁部と、前記第２壁部が、互いの外縁において接続されていることを特徴とする。
【００１３】
この発明に係る加温器によれば、第１壁部と第２壁部とが互いの外縁において接続されているので、収容体の形状が簡単となり、熱源の収容性、収容体の把持、収容体の清掃、及び収容体の製造を効率的に行なうことができる。
【００１４】
請求項３に記載の発明は、請求項１又は請求項２に記載の加温器であって、前記支持部は、前記軸部の他方側において外周に拡がる支持壁部を有していることを特徴とする。
【００１５】
この発明に係る加温器によれば、支持部が、軸部の他方側で外周に拡がる支持壁部を有しているので、加温器を安定して把持しやすく、押圧力を容易に調整することができる。
【００１６】
請求項４に記載の発明は、請求項１から請求項３のいずれか１項に記載の加温器であって、前記支持部は、前記他方側に前記軸部を通じて収容体の内部に通じる開口部が形成されていることを特徴とする。
【００１７】
この発明に係る加温器によれば、支持部は、他方側に軸部を通じて収容体の内部に通じる開口部が形成されているので、例えば、燃焼により消耗する熱源を用いる場合であっても、熱源を容易に収容、交換することができる。また、先端部から開口部までの距離を大きく設定しやすいことから、例えば、熱源が燃焼により塵埃等を生じる場合であっても、塵埃等が生体に飛散するのを抑制することができる。
【００１８】
請求項５に記載の発明は、請求項１から請求項４のいずれか１項に記載の加温器であって、前記収容体の内部には、前記先端部の燃焼により発熱するスティック状燃料を支えるとともに前記スティック状燃料の燃焼部に空気を流通させる燃料支持部材が配置されていることを特徴とする。
【００１９】
この発明に係る加温器によれば、収容体の内部に、先端部側が燃焼して発熱するスティック状燃料（例えば、線香等）を収容する場合に、スティック状燃料を支えるとともにスティック状燃料の燃焼部に空気を流通させる燃料支持部材が配置されているので、スティック状燃料の燃焼部が第１壁部の所定部位で支持されるとともに安定して燃焼するので、指圧温灸に適した熱量を得やすく、生体を安定して加温することができる。
【００２０】
請求項６に記載の発明は、請求項２から請求項５のいずれか１項に記載の加温器に装着して、保持する液体を加温、発散させる液体発散部材であって、シート状に形成され前記液体を保持する液体保持部と、前記液体保持部の複数の接続部位に接続される紐状体と、を備え、前記液体保持部は前記先端部に、前記紐状体は前記第２壁部に装着可能に構成されていることを特徴とする。
【００２１】
この発明に係る液体発散部材によれば、例えば、薬剤やびわエキス等の薬効成分等の液体を液体保持部に吸収させて、紐状体によって、液体保持部を収容体の先端部に、紐状体を収容体の第２壁部に装着することで、加温器の先端部に保持させた液体を、熱源の熱により効率的に加温し、発散することができる。また、液体保持部がシート状に形成されているので、先端部に容易に装着され、液体が均一に加温されて、長時間にわたって均一に加熱、発散される。
また、第２壁部に紐状体により装着されるので、収容体に容易に着脱することができる。
【発明の効果】
【００２２】
この発明に係る加温器によれば、効果的な指圧、マッサージを行うことができる。
また、液体発散部材によれば、液体保持部に液体を保持させることにより、加温器により対象部位を加熱及び加圧しながら、液体を効率的に発散させることができる。
【図面の簡単な説明】
【００２３】
【図１】本発明の第１の実施形態に係る指圧温灸器の正面図である
【図２】第１の実施形態に係る指圧温灸器の縦断面図である
【図３】第１の実施形態に係る指圧温灸器に線香支持部材を収容し、線香支持部材により線香を支持した状態を示す縦断面図である。
【図４】第１の実施形態に係る指圧温灸器に液体発散部材を装着した状態を示す図である。
【図５】第１の実施形態に係る指圧温灸器の使用状態を説明する図であり、指圧温灸器を把持し、押圧して患部を加圧、マッサージしている状態を示す図である。
【図６】第１の実施形態に係る指圧温灸器の使用状態を説明する図であり、指圧温灸器を把持して、押圧ながら円を描くように患部を加圧、マッサージしている状態を示す図である。
【図７】第１の実施形態に係る指圧温灸器の使用状態を説明する図であり、指圧温灸器を把持して、押圧ながらすりこぎ運動をして患部を加圧、マッサージしている状態を示す図である。
【図８】本発明に係る指圧温灸器の第１変形例を示す縦断面図である。
【図９】本発明に係る指圧温灸器の第２変形例を示す縦断面図である。
【発明を実施するための形態】
【００２４】
以下、図１から図７を参照し、この発明の第１の実施形態について説明する。
図１〜図２は、第１の実施形態に係る指圧温灸器（加温器）を示す図であり、符号１は指圧温灸器を、符号２０は収容体を、符号３０は線香支持部材（燃料支持部材）を示している。また、この実施形態において、熱源は、線香（スティック状燃料）Ｓを用いている。
指圧温灸器１は、図３に示すように、収容体２０内に収容した線香Ｓの燃焼部Ｓ１が燃焼して発熱した熱により人体（生体）等の患部（対象部位）を加熱するとともに、収容体２０の先端部を患部に押圧して加圧することにより、指圧、マッサージをすることができるようになっている。
【００２５】
収容体２０は、一方側から他方側に向かって一旦円錐形状に膨らんで形成され一定の厚さに形成された第１壁部２１と、第１壁部２１と接続され他方側向かって膨出するとともに他方側がすぼみ一定厚さに形成された第２壁部２２と、第２壁部２２の他方側に接続されて他方側に伸びる筒状の支持部２５とを備え、内方に収容空間が形成されている。
【００２６】
第１壁部２１は、一方側に位置する先端部２１Ａが、人の指先程度の大きさの略半球の球面状に形成されている。なお、先端部２１Ａの直径は、例えば、５〜３０ｍｍ程度であることが、指圧温灸器１を押圧した場合に適度な加圧ができる点で好適である。なお、先端部２１Ａの直径は、自在に設定可能であり、５〜３０ｍｍでなくてもよいことはいうまでもない。
【００２７】
第１壁部２１の先端部２１Ａに接続される円錐形状部は、例えば、頂角が３０〜６０度、最大直径が５〜１５ｃｍ程度とされていて、収容空間に線香を収容して適度な時間発熱可能に保持するとともに押圧による面圧に対して十分な強度を有していて、患部に適度な熱を伝えつつ患部に加圧力を加えることができるようになっている。
【００２８】
第２壁部２２は、例えば、直径５〜１５ｃｍの半球形状の曲面に形成されていて、例えば、ボールを握るように手のひらでしっかりと把持できるようになっている。
第１壁部２１と第２壁部２２は、互いの外縁で接続されていて、例えば、ラグビーボールのような楕円体の一部を有する形状に形成されている。
なお、第１壁部２１、第２壁部２２の外縁は、直径５〜１５ｃｍでなくてもよいことはいうまでもない。
【００２９】
この実施形態において、収容体２０は、例えば、耐熱性と強度を有する厚さ約２ｍｍのガラス等により形成されていて、内部が観察できるようになっている。なお、材料については、ガラスに限定されず、セラミックス、磁器、陶器、アルミ、鉄等の金属により形成してもよく、この場合の肉厚は、熱源からの伝熱及び押圧時の強度により自在に設定可能である。また、伝熱と強度との関わりに応じて、薄肉部や厚肉部を設けてもよい。
【００３０】
支持部２５は、第２壁部２２に接続されて他方側に伸びる軸部２６と、軸部２６の他方側において外周に拡がる円板状の支持壁部２７とを有し、軸部２６は筒状に形成されていて、他方側に収容体２０の収容空間に通じる開口部２８が形成されている。
【００３１】
支持壁部２７は、手のひらで収容体２０を覆うように把持した際に、手の甲（または指の上面側）と対向するように形成され、収容体２０を容易かつ安定して把持可能であるとともに、把持された収容体２０が手から不意に落下するのを抑制できるようになっている。
なお、指との間にゆとりを持たせるためのわずかな隙間を形成してもよい。
【００３２】
線香支持部材３０は、例えば、図３に示すように、金属筒３１で形成され、先端側に切欠３２が形成されていて、収容体２０の収容空間に収容可能とされ、線香Ｓが燃焼する際に燃焼部Ｓ１を所定の位置（範囲）に支持可能とされている。
【００３３】
また、先端側に形成された切欠３２から流入した空気が金属筒３１を通じて上部に流通するので、燃焼部Ｓ１に燃焼用空気が充分に供給されて線香Ｓを安定して燃焼され、線香Ｓが燃焼して生じた熱が第１壁部２１を介して先端部２１Ａの外周面に伝熱されるようになっている。なお、筒状の線香支持部材３０に代えて、線香Ｓを燃焼部Ｓ１で支持するとともに燃焼部Ｓ１に空気を供給しつつ先端部２１Ａの外面に伝熱可能なコイルスプリングや網状の筒体等を用いてもよい。
【００３４】
液体発散部材４０は、びわエキス等の液体を吸収、保持し、保持した液体を効率的に加温して、発散させるものであり、例えば、図４に示すように、シート状の不織布からなり液体を保持する液体保持部４１と、液体保持部４１の複数の接続部位に接続される紐状体４２とを備え、液体保持部４１は、収容体２０の先端部２１Ａに、紐状体４２は第２壁部２２に装着可能に構成されている。
【００３５】
次に、図５、図６を参照して、指圧温灸器１の使用方法について説明する。
（１）まず、指圧温灸器１に、液体発散部材４０を装着して、液体保持部４１に液体を吸収させる。なお、指圧温灸器１に、液体発散部材４０を装着するかどうかは、必要に応じて任意に行う。
（２）次に、線香支持部材（燃料保持部材）３を、開口部２８から収容体２０の収容空間に収容する。
（３）次いで、火を付けた線香（熱源）Ｓを、開口部２８から収容体２０に収容する。この時、線香Ｓの燃焼部Ｓ１が先端部２１Ａ近傍に位置するように、線香Ｓを入れる。
（４）次に、支持部２５の軸部２６を、親指と人差し指、または親指と中指で挟み込んで、手のひらで第２壁部２２をしっかりと把握する。
（５）次いで、例えば、図５に示すように、収容体２０を押圧して先端部２１Ａで患部を加温しながら加圧（指圧）してマッサージする。このとき、例えば、図６に示すように、収容体２０を押圧して先端部２１Ａで円を描くようにして患部を加温しながら加圧（指圧）するとともに、先端部２１Ａに患部近傍において円を描くように移動させてマッサージしてもよい。
また、例えば、図７に示すように、収容体２０を押圧して先端部２１Ａで患部を加温しながら加圧（指圧）するとともに、先端部２１Ａを支点に収容体２０の支持部２５側をすりこぎ運動させることによりマッサージしてもよい。
【００３６】
第１の実施形態に係る指圧温灸器１によれば、支持部２５を設けて、手のひらにより第２壁部２２を把持することができるので、指圧温灸器１を容易かつ安定して押圧、患部を加圧することができる。
また、指圧温灸器１によれば、先端部２１Ａの他方側に第２壁部２２が形成されて軸部２６を挟んで手のひらで第２壁部２２をしっかりと把持できるので、先端部２１Ａを支点に、容易にすりこぎ運動を行うことができる。
【００３７】
また、指圧温灸器１によれば、収容体２０を押圧して先端部２１Ａにより患部を加圧する場合に、押圧方向が手首の屈曲方向と対応しているので、収容体２０を強く押圧しても、手首及び腕等の疲労が抑制され、長時間使用した場合でも疲れにくく、手首等を傷めるおそれが軽減する。
【００３８】
また、指圧温灸器１によれば、線香Ｓを機械的に固定する構造を持たないため、線香Ｓの形・大きさの選択範囲を広く設定することができる。また、線香Ｓを収容体２０に入れる際の組み立ての手間や、温度調節のための熱源の位置移動などの手間がなくなった。
また、先端部２１Ａが球面状とされているので生体を効率的に押えて指圧、マッサーッジすることができ、適度に温めながら指圧のような刺激を与えることができる。
【００３９】
また、収容体２０と生体の間に布を入れたり、熱源の大きさを変えたりすることで容易に、温度調節をすることができる。
また、収容体２０の先端部２１Ａ近傍に空気穴が形成されていないので、線香Sから生じる灰等の粉塵が収容体２０の外部に出ることが抑制されて衛生的である。その結果、布や服の上からも用いることができる。
【００４０】
また、指圧温灸器１の第１壁部２１と第２壁部２２とが互いの外縁において接続されているので、収容体２０を簡単な形状とすることができ、支持部２５の他方側に開口部２８が形成されているので、収容体２０への線香Ｓの収容、取り出し、交換、収容体２０の内部の清掃を容易におこなうことができる。また、指圧温灸器１の生産を効率的に行なうことができる。
【００４１】
なお、この発明は上記実施の形態に限定されるものではなく、発明の趣旨を逸脱しない範囲において、種々の変更をすることが可能である。
例えば、上記実施の形態では、収容体２０に唯一の空気穴として開口部２８が形成される場合について説明したが、例えば、図８に示す第１変形例に係る指圧温灸器１Aのように、第２壁部２２に開口部２８Ａを形成した構成の収容体２０Ａとしてもよく、第２壁部２２に開口部２８Ａのみを形成する構成としてもよい。また、例えば、開口部２８に加え、又は開口部２８に代えて、収容体を素焼き陶器等で形成することで、線香Ｓの灰等が収容体２０の外部にもれずに空気が流通可能な細孔を有する構成としてもよい。
【００４２】
また、上記実施の形態においては、収容体２０が、第１壁部２１の外縁と第２壁部２２の外縁で接続されている場合について説明したが、例えば、図９に示す第２変形例に係る指圧温灸器１Bのように、第１壁部２３と第２壁部２４が外縁以外で接続される構成の収容体２０Bとしてもよい。なお、収容体２０Bは、軸部２６で構成された支持部２５Aを備えている。
【００４３】
なお、収容体２０、２０A、２０Bにおいて、軸部２６と支持壁部２７を備えた支持部２７とするか、軸部２６により構成された支持部２５Aを構成するかは、任意に設定することができる。
また、上記実施形態においては、支持部２５の他方側に円板状の支持壁部２７が形成される場合について説明したが、半円形状、多角形状等、他の形状としてもよい。また、支持壁部２７を有しない構成としてもよい。
また、上記実施の形態においては、軸部２６が筒状に形成されている場合について説明したが、開口部２８を有しない構成としてもよい。
【００４４】
また、上記実施の形態においては、熱源が線香Ｓである場合について説明したが、線香以外の燃焼により発熱する熱源を用いてもよいし、例えば、電源がヒータ等の発熱体を発熱させる周知の電気制御回路を発熱体としてもよく、かかる場合に、温度センサを用いたフィードバック制御により発熱体を用いてもよいし、タイマ等により間欠的に発熱する構成としてもよい。
【００４５】
本発明に係る加温器によれば、手のひらで第２壁部をしっかりと把持できるので、加温器を容易かつ安定して押圧できるので、産業上利用可能である。
【符号の説明】
【００４６】
Ｓ１  燃焼部
Ｓ    線香（熱源、スティック状燃料）
１、１A、１B  指圧温灸器（加温器）
２０、２０Ａ、２０B  収容体
２１、２３  第１壁部
２１Ａ  先端部
２２、２４  第２壁部
２５  支持部
２６  軸部
２７、２７A  支持壁部
２８、２８Ａ  開口部
３０  線香支持部材（燃料保持部材）
３１  金属筒
３２  切欠
４０  液体発散部材
４１  液体保持部
４２  紐状体
【図１】
2014008354.tif 000003
【図２】
2014008354.tif 000004
【図３】
2014008354.tif 000005
【図４】
2014008354.tif 000006
【図５】
2014008354.tif 000007
【図６】
2014008354.tif 000008
【図７】
2014008354.tif 000009
【図８】
2014008354.tif 000010
【図９】
2014008354.tif 000011
【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
収容体に収容した熱源を用いて、生体を加熱しながら加圧する加温器であって、
一方側に位置する先端部が球面状に形成されるとともに前記先端部から他方側に円錐状に形成された第１壁部と前記第１壁部と接続され他方側向かい前記他方側に膨出してすぼむ第２壁部とを有するとともにガラスにより形成され内部が観察可能とされた収容体と、
前記第２壁部の他方側に接続されて前記他方側に伸びる軸部を有する支持部と、を備え、
前記収容体の内部には、
前記先端部側において燃焼することにより発熱するスティック状燃料を支えるとともに、切欠から前記スティック状燃料の燃焼部に空気を流入させ上部に流通可能とする筒状の燃料支持部材が配置されていることを特徴とする加温器。
【請求項２】
請求項１に記載の加温器であって、
前記収容体は、
前記第１壁部と、前記第２壁部が、互いの外縁において接続されていることを特徴とする加温器。
【請求項３】
請求項１又は請求項２に記載の加温器であって、
前記支持部は、
前記軸部の他方側において外周に拡がる支持壁部を有していることを特徴とする加温器。
【請求項４】
請求項１から請求項３のいずれか１項に記載の加温器であって、
前記支持部は、前記他方側に前記軸部を通じて収容体の内部に通じる開口部が形成されていることを特徴とする加温器。
【請求項５】
請求項２から請求項５のいずれか１項に記載の加温器に装着して、保持する液体を加温、発散させる液体発散部材であって、
シート状に形成され前記液体を保持する液体保持部と、前記液体保持部の複数の接続部位に接続される紐状体と、を備え、前記液体保持部は前記先端部に、前記紐状体は前記第２壁部に装着可能に構成されていることを特徴とする液体発散部材。
【手続補正２】
【補正対象書類名】明細書
【補正対象項目名】０００８
【補正方法】変更
【補正の内容】
【０００８】  上記課題を解決するために、この発明は以下の手段を提案している。
請求項１に記載の発明は、収容体に収容した熱源を用いて、生体を加熱しながら加圧する加温器であって、一方側に位置する先端部が球面状に形成されるとともに前記先端部から他方側に円錐状に形成された第１壁部と前記第１壁部と接続され他方側向かい前記他方側に膨出してすぼむ第２壁部とを有するとともにガラスにより形成され内部が観察可能とされた収容体と、前記第２壁部の他方側に接続されて前記他方側に伸びる軸部を有する支持部とを備え、前記収容体の内部には、前記先端部側において燃焼することにより発熱するスティック状燃料を支えるとともに、切欠から前記スティック状燃料の燃焼部に空気を流入させ上部に流通可能とする筒状の燃料支持部材が配置されていることを特徴とする。
【手続補正３】
【補正対象書類名】明細書
【補正対象項目名】０００９
【補正方法】変更
【補正の内容】
【０００９】  この発明に係る加温器によれば、収容体の先端部が球面状に形成されていて、先端部から他方側に円錐状に形成された第１壁部を有しているので、収容体の先端部を生体の対象部位に接触させて収容体内の熱源の熱を対象部位に伝えて加熱しながら対象部位を加圧することで、効果的な加温、マッサージをすることができる。
また、収容体の内部に、先端部側が燃焼して発熱するスティック状燃料（例えば、線香等）を収容部の先端側に収容する場合に、スティック状燃料を支えるとともにスティック状燃料の燃焼部に空気を流通させる燃料支持部材が配置されているので、スティック状燃料の燃焼部が第１壁部の所定部位で支持されるとともに安定して燃焼するので、指圧温灸に適した熱量を得やすく、生体を安定して加温することができる。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】請求項５に記載の発明は、請求項２から請求項４のいずれか１項に記載の加温器に装着して、保持する液体を加温、発散させる液体発散部材であって、シート状に形成され前記液体を保持する液体保持部と、前記液体保持部の複数の接続部位に接続される紐状体と、を備え、前記液体保持部は前記先端部に、前記紐状体は前記第２壁部に装着可能に構成されていることを特徴とする。